(57)【特許請求の範囲】
【請求項１】
画像読取装置に載置可能な平面状表示装置であって、
画像を表示する表示面と、
前記表示面に設けられ、光を検出する光検出手段と、
前記光検出手段により画像読取装置が発する走査光が検出される場合、前記検出された走査光に基づいて前記表示面中の読取領域を決定する読取領域検出手段と、
前記決定された読取領域が前記表示面よりもサイズが小さい場合に、前記表示面全体に表示される表示用画像が前記読取領域に収まるように縮小し、前記表示面中の前記決定された読取領域に前記表示用画像を縮小した縮小画像を表示する表示制御手段と、を備えた平面状表示装置。
【請求項２】
前記表示制御手段は、前記決定された読取領域のアスペクト比と、前記画像のアスペクト比とに基づいて、前記画像を前記表示面中の前記決定された読取領域に表示する方向を決定する第１表示方向決定手段を、含む請求項１に記載の平面状表示装置。
【請求項３】
前記検出された走査光に基づいて前記表示面に対する走査方向を検出する主走査方向検出手段を、さらに備え、
前記表示制御手段は、前記検出された走査方向に基づいて、前記画像を前記読取領域に表示する方向を決定する第２表示方向決定手段をさらに含む、請求項１または２に記載の平面状表示装置。
【請求項４】
複数ページの画像を並べて配置した合成画像を順に表示する設定がされている場合、前記決定された読取領域が前記表示面よりも小さい場合は、ページ番号順に１ページの画像を順に表示する設定に変更する設定変更手段を、さらに備えた、請求項１〜３のいずれかに記載の平面状表示装置。
【請求項５】
前記平面状表示装置は、電子ペーパである、請求項１〜４のいずれかに記載の平面状表示装置。
【請求項６】
画像読取装置に載置可能であり、画像を表示する表示面と、
前記表示面に設けられ、光を検出する光検出手段と、を備えた平面状表示装置で実行される表示制御方法であって、
前記光検出手段により画像読取装置が発する走査光が検出される場合、前記検出された走査光に基づいて前記表示面中の読取領域を決定するステップと、
前記決定された読取領域が前記表示面よりもサイズが小さい場合に、前記表示面全体に表示される表示用画像が前記読取領域に収まるように縮小し、前記表示面中の前記決定された読取領域に前記表示用画像を縮小した縮小画像を表示するステップと、を含む表示制御方法。
【請求項７】
画像読取装置に載置可能であり、画像を表示する表示面と、
前記表示面に設けられ、光を検出する光検出手段と、を備えた平面状表示装置を制御するコンピュータで実行される表示制御プログラムであって、
前記光検出手段により画像読取装置が発する走査光が検出される場合、前記検出された走査光に基づいて前記表示面中の読取領域を決定するステップと、
前記決定された読取領域が前記表示面よりもサイズが小さい場合に、前記表示面全体に表示される表示用画像が前記読取領域に収まるように縮小し、前記表示面中の前記決定された読取領域に前記表示用画像を縮小した縮小画像を表示するステップと、を前記コンピュータに実行させる表示制御プログラム。
【発明の詳細な説明】
【技術分野】
【０００１】
この発明は、平面状表示装置、表示制御方法および表示制御プログラムに関し、特に、画像読取装置で読取可能な画像を表示する平面状表示装置、その平面状表示装置で実行される表示制御方法および表示制御プログラムに関する。
【背景技術】
【０００２】
近年、電子データとしての画像を表示する電子ペーパが普及している。この電子ペーパによれば、電子データが複数ページを含んでいる場合に、表示するページを切り換えることにより複数ページの画像を順に表示することができる。一方、電子データとしての画像を、紙などの記録媒体に形成して保存することが望まれる場合がある。特開２００６−３２３１９８号公報には、複写機による所定強度での光走査を検出して、検出結果に応じて表示する画像を切り換える表示装置が記載されている。
【０００３】
しかしながら、従来の表示装置は、表示装置の表示面が複写機の読取面よりもサイズが大きい場合、表示面に表示された画像のすべてを複写機で読み取ることができないといった問題があった。また、電子ペーパは折り畳むことができるので、折り畳まれた状態で複写機の読取面に表示装置が置かれた場合には、表示面の半分の面に表示された画像のみしか読み取ることができないといった問題があった。
【特許文献１】特開２００６−３２３１９８号公報
【発明の概要】
【発明が解決しようとする課題】
【０００４】
この発明は上述した問題点を解決するためになされたもので、この発明の目的の１つは、画像読取装置が読取可能な領域に画像を表示することが可能な平面状表示装置を提供することである。
【０００５】
この発明の他の目的は、画像読取装置が読取可能な領域に画像を表示することが可能な表示制御方法を提供することである。
【０００６】
この発明のさらに他の目的は、画像読取装置が読取可能な領域に画像を表示することが可能な表示制御プログラムを提供することである。
【課題を解決するための手段】
【０００７】
この発明は上述した問題点を解決するためになされたもので、この発明のある局面によれば、平面状表示装置は、画像読取装置に載置可能な平面状表示装置であって、画像を表示する表示面と、表示面に設けられ、光を検出する光検出手段と、光検出手段により画像読取装置が発する走査光が検出される場合、検出された走査光に基づいて表示面中の読取領域を決定する読取領域検出手段と、決定された読取領域が表示面よりもサイズが小さい場合に、表示面全体に表示される表示用画像が読取領域に収まるように縮小し、表示面中の決定された読取領域に表示用画像を縮小した縮小画像を表示する表示制御手段と、を備える。
【０００８】
この局面に従えば、画像読取装置が発する走査光が検出される場合、検出された走査光に基づいて表示面中の読取領域が決定され、決定された読取領域が表示面よりもサイズが小さい場合に、表示面全体に表示される表示用画像が読取領域に収まるように縮小し、表示面中で決定された読取領域に表示用画像を縮小した縮小画像が表示される。このため、画像読取装置が読取可能な領域に画像を表示することが可能な平面状表示装置を提供することができる。
【０００９】
好ましくは、表示制御手段は、決定された読取領域のアスペクト比と、画像のアスペクト比とに基づいて、画像を表示面中の決定された読取領域に表示する方向を決定する第１表示方向決定手段を、含む。
【００１０】
この局面に従えば、読取領域のアスペクト比と、画像のアスペクト比とに基づいて、画像を表示面中の読取領域に表示する方向が決定される。このため、画像を読取領域に納めて表示することができる。
【００１１】
好ましくは、検出された走査光に基づいて表示面に対する走査方向を検出する主走査方向検出手段を、さらに備え、表示制御手段は、検出された走査方向に基づいて、画像を読取領域に表示する方向を決定する第２表示方向決定手段をさらに含む。
【００１２】
この局面に従えば、表示面に対する走査方向が検出され、走査方向に基づいて、画像を読取領域に表示する方向が決定される。このため、画像読取装置が読み取る方向に合わせて画像を表示することができる。
【００１５】
好ましくは、複数ページの画像を並べて配置した合成画像を順に表示する設定がされている場合、決定された読取領域が表示面よりも小さい場合は、ページ番号順に１ページの画像を順に表示する設定に変更する設定変更手段を、さらに備える。
【００１６】
この局面に従えば、画像のサイズをできるだけ大きくして表示することができる。
【００１９】
好ましくは、平面状表示装置は、電子ペーパである。
【００２０】
この発明のさらに他の局面によれば、表示制御方法は、画像読取装置に載置可能であり、画像を表示する表示面と、表示面に設けられ、光を検出する光検出手段と、を備えた平面状表示装置で実行される表示制御方法であって、光検出手段により画像読取装置が発する走査光が検出される場合、検出された走査光に基づいて表示面中の読取領域を決定するステップと、決定された読取領域が表示面よりもサイズが小さい場合に、表示面全体に表示される表示用画像が読取領域に収まるように縮小し、表示面中の決定された読取領域に表示用画像を縮小した縮小画像を表示するステップと、を含む。
【００２１】
この局面に従えば、画像読取装置が読取可能な領域に画像を表示することが可能な表示制御方法を提供することができる。
【００２２】
この発明のさらに他の局面によれば、表示制御プログラムは、画像読取装置に載置可能であり、画像を表示する表示面と、表示面に設けられ、光を検出する光検出手段と、を備えた平面状表示装置を制御するコンピュータで実行される表示制御プログラムであって、光検出手段により画像読取装置が発する走査光が検出される場合、検出された走査光に基づいて表示面中の読取領域を決定するステップと、決定された読取領域が表示面よりもサイズが小さい場合に、表示面全体に表示される表示用画像が読取領域に収まるように縮小し、表示面中の決定された読取領域に表示用画像を縮小した縮小画像を表示するステップと、をコンピュータに実行させる。
【００２３】
この局面に従えば、画像読取装置が読取可能な領域に画像を表示することが可能な表示制御プログラムを提供することができる。
【図面の簡単な説明】
【００２４】
【図１】本発明の第１の実施の形態における電子ペーパの平面図である。
【図２】第１の実施の形態における電子ペーパのハードウエア構成の一例を示すブロック図である。
【図３】第１の実施の形態における電子ペーパが備えるＣＰＵが有する機能の一例を示すブロック図である。
【図４】設定画面の一例を示す図である。
【図５】第１の実施の形態における表示制御処理の流れの一例を示すフローチャートである。
【図６】本発明の第２の実施の形態における電子ペーパの平面図である。
【図７】第２の実施の形態における電子ペーパのハードウエア構成の一例を示すブロック図である。
【図８】第２の実施の形態における電子ペーパが備えるＣＰＵが有する機能の一例を示す機能ブロック図である。
【図９】第２の実施の形態における表示制御処理の流れの一例を示すフローチャートである。
【発明を実施するための形態】
【００２５】
以下、本発明の実施の形態について図面を参照して説明する。以下の説明では同一の部材には同一の符号を付してある。それらの名称および機能も同じである。従ってそれらについての詳細な説明は繰り返さない。
【００２６】
＜第１の実施の形態＞
図１は、本発明の第１の実施の形態における電子ペーパの平面図である。図１を参照して、電子ペーパ１は、その上面に表示部１９表示部１９と、電源キー２１Ａを含む操作部２１とが設けられ、表示部１９には同じ領域に面状光センサ２７が設けられる。
【００２７】
表示部１９は、樹脂基板上に２次元に配列した複数の画素を形成し、各画素にＴＦＴ（Ｔｈｉｎ  Ｆｉｌｍ  Ｔｒａｎｓｉｓｔｏｒ）素子を配置した構造である。面状光センサ２７は、アモルファスＳｉ等のフォトセンサを画素ごとに設けた構造である。表示部１９および面状光センサ２７は、柔軟な素材からなり、電子ペーパ１を折り曲げることができる。このため、表示部１９は、画像が表示される表示面が、電子ペーパ１を折り曲げることにより分割される第１表示面と第２表示面とを有する。電子ペーパ１は、表示部１９が有する第１表示面および第２表示面それぞれの方向が同じ同一方向形状と第１表示面および第２表示面それぞれの方向が反対となる反対方向形状とに形状を変化可能である。
【００２８】
なお、電子ペーパ１に代えて、液晶表示装置（ＬＣＤ）、有機ＥＬＤ（Ｅｌｅｃｔｒｏｌｕｍｉｎｅｓｃｅｎｃｅ  Ｄｉｓｐｌａｙ）等を備えた平面状（シート状を含む）表示装置を用いるようにしてもよい。この場合には、２つのＬＣＤまたは有機ＥＬＤを並べて配置することにより、第１表示面と第２表示面と構成するようにすれば、同一方向形状と反対方向形状とに形状を変化可能な平面状表示装置を構成することができる。なお、２つのＬＣＤまたは有機ＥＬＤのサイズは同じであることが好ましい。  表示部１９の表示面は、Ａ３サイズであり、図１においては、電子ペーパ１の長手方向を横に配置して示している。以下の説明では、電子ペーパ１を基準に表示面の方向を定めて説明する。以下、表示面の上方向というときは、図１に示された電子ペーパ１において図１の下から上に向かう方向を示し、表示面の下方向というときは、図１に示された電子ペーパ１において図１の上から下に向かう方向を示し、表示面の左方向というときは、図１に示された電子ペーパ１において図１の右から左に向かう方向を示し、表示面の右方向というときは、図１に示された電子ペーパ１において図１の左から右に向かう方向を示す。
【００２９】
図２は、第１の実施の形態における電子ペーパのハードウエア構成の一例を示すブロック図である。図２を参照して、電子ペーパ１は、それぞれがバス３１に接続された、電子ペーパ１の全体を制御する中央演算装置（ＣＰＵ）１１、ＲＯＭ（Ｒｅａｄ  Ｏｎｌｙ  Ｍｅｍｏｒｙ）１３、ＲＡＭ（Ｒａｎｄｏｍ  Ａｃｃｅｓｓ  Ｍｅｍｏｒｙ）１５、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１７、表示部１９、ユーザの操作を受け付ける操作部２１、電子ペーパ１をネットワークに接続するための通信インターフェース（Ｉ／Ｆ）２３、外部インターフェース（Ｉ／Ｆ）２５および面状光センサ２７を含む。
【００３０】
表示部１９は、ＣＰＵ１１により制御されて、画像を表示する。ＲＯＭ１３は、ＣＰＵ１１が実行するプログラム、またはそのプログラムを実行するために必要なデータを記憶する。ＲＡＭ１５は、ＣＰＵ１１がプログラムを実行する際の作業領域として用いられる。ＥＥＰＲＯＭ１７は、プログラムまたはデータ等を不揮発的に記憶する。
【００３１】
面状光センサ２７は、表示部１９の表示面における画素ごとの光を検出し、検出した光の光量と画素の位置との組をＣＰＵ１１に出力する。ユーザが表示部１９の表示面を指で指示すれば、表示面の指示された位置の光量が減少するので、ＣＰＵ１１は、面状光センサ２７の出力から、表示面でユーザが指示した位置を検出し、いわゆるタッチパネルとして面状光センサ２７を利用する。
【００３２】
操作部２１は、電源キー２１Ａを含む複数のキーを含む。通信Ｉ／Ｆ２３は、電子ペーパ１を外部のコンピュータと接続するためのインターフェースである。例えば、シリアル通信またはパラレル通信が可能な通信回路である。ＣＰＵ１１は、通信Ｉ／Ｆ２３を介して接続されたコンピュータと通信し、データを送受信する。また、通信Ｉ／Ｆ２３は、電子ペーパ１をローカルエリアネットワーク等のネットワークに接続するためのインターフェースであってもよい。この場合、ＣＰＵ１１は、通信Ｉ／Ｆ２３を介して別の電子ペーパまたはコンピュータと通信し、データを送受信することができ、また、ネットワークを介してインターネットに接続されたコンピュータと通信することができる。
【００３３】
外部Ｉ／Ｆ２５は、外部の記憶装置と通信するためのインターフェースである。ここでは、外部Ｉ／Ｆ２５は、接続された外部の記憶装置とシリアル通信する。外部Ｉ／Ｆ２５に外部の記憶装置としてＣＤ−ＲＯＭドライバが接続される場合、ＣＰＵ１１は、外部Ｉ／Ｆ２５を介してＣＤ−ＲＯＭドライバに装着されるＣＤ（Ｃｏｍｐａｃｔ  Ｄｉｓｋ）−ＲＯＭ２５Ａにアクセス可能である。ＣＰＵ１１は、ＣＤ−ＲＯＭ２５Ａに記録されたプログラムをＲＡＭ１５にロードして実行することが可能である。
【００３４】
なお、ＣＰＵ１１が実行するプログラムは、ＣＤ−ＲＯＭ２５Ａに記録されたプログラムに限られず、ＥＥＰＲＯＭ１７に記憶されたプログラムをＲＡＭ１５にロードして実行するようにしても良い。この場合、ネットワークに接続された他のコンピュータが、電子ペーパ１のＥＥＰＲＯＭ１７に記憶されたプログラムを書き換える、または、新たなプログラムを追加して書き込むようにしてもよい。さらに、電子ペーパ１が、ネットワークに接続された他のコンピュータからプログラムをダウンロードして、そのプログラムをＥＥＰＲＯＭ１７に記憶するようにしてもよい。ここでいうプログラムは、ＣＰＵ１１が直接実行可能なプログラムだけでなく、ソースプログラム、圧縮処理されたプログラム、暗号化されたプログラム等を含む。
【００３５】
本実施の形態における電子ペーパ１は、表示部１９の表示面を複写機などの画像読取装置の読取部分に向けて載置され、表示部１９の表示面に画像を表示した状態で複写機に読み取らせる形態で使用される。この際、複写機が実際の画像を読み取る前の段階で実行するプレスキャンの最中に、複写機が走査光を走査する領域を、面状光センサ２７により検出する。面状光センサ２７は、表示部１９の画素ごとの光量を検出するので、面状光センサ２７が検出する読取領域は、表示部１９の表示面中の領域として特定することができる。また、複写機により実行されるプレスキャンによる走査、または画像を読み取るための走査は、所定の強度以上の光を走査するため、面状光センサ２７が所定強度以上の光を検出した場合に、複写機による走査がされたことを判断することができ、所定の強度以上の光が検出された領域を複写機が走査する読取領域として検出することができる。
【００３６】
なお、ここでは、電子ペーパ１が備える表示部１９の表示面を複写機に載置する場合を例に説明するが、走査光により画像を読み取る機能を備えていれば、スキャナ装置、ファクシミリ、またはそれらと複写機とを組み合わせた複合機等の画像読取装置であってもよい。
【００３７】
図３は、第１の実施の形態における電子ペーパが備えるＣＰＵが有する機能の一例を示すブロック図である。図３に示すＣＰＵ１１が有する機能は、ＣＰＵ１１がＲＯＭ１３、ＥＥＰＲＯＭ１７またはＣＤ−ＲＯＭ２５Ａに記憶された表示制御プログラムを実行することにより、ＣＰＵ１１に形成される。
【００３８】
図３を参照して、ＣＰＵ１１は、読取領域を決定する読取領域検出部５１と、走査方向を検出する走査方向検出部５３と、表示部１９の表示を制御する表示制御部５５と、表示対象となるデータを取得するデータ取得部５７と、複数ページの画像の表示方法を設定する表示設定部５９と、設定された表示方法を変更する設定変更部６１と、を含む。
【００３９】
読取領域検出部５１は、面状光センサ２７の出力を監視しており、所定強度の光の走査を検出すると、表示部１９の表示面のうちで所定強度の光走査を検出した領域を読取領域に決定する。読取領域検出部５１は、検出された読取領域の表示面における位置を表示制御部５５および設定変更部６１に出力する。読取領域の表示面における位置は、例えば、矩形の読取領域の対角の座標値である。なお、読取領域を特定できれば、対角の座標値に限らず、読取領域の輪郭の座標であってもよいし、読取領域のすべての座標であってもよい。
【００４０】
走査方向検出部５３は、面状光センサ２７の出力を監視しており、所定強度の光の走査を検出すると、検出される走査光が表示部１９の表示面に対して移動する方向を走査方向として検出する。ここでは、複写機はラインセンサを有するものとし、複写機は、ラインセンサを、ラインセンサの画素の配列する方向（副走査方向）に垂直な主走査方向に移動させることにより走査する。走査方向検出部５３は、主走査方向を検出する。以下、走査方向というときは、主走査方向を示す。走査方向検出部５３は、検出された走査方向を表示制御部５５に出力する。走査方向検出部５３により検出される走査方向は、電子ペーパ１９の表示面を基準にして定まる相対的な方向である。
【００４１】
データ取得部５７は、ユーザの操作を受け付け、受け付けられた操作に従って、ＥＥＰＲＯＭ１７に記憶されたデータのうちから表示用データを読出し、読み出した表示用データを表示制御部５５に出力する。
【００４２】
表示設定部５９は、ユーザの操作を受け付け、受け付けられた操作に従って、予め定められた複数の配列規則のうちから１つを選択する。配列規則は、排紙方向と配列方法とによって１つが定まる。排紙方向は、電子ペーパ１が載置される複写機が画像を形成した用紙を排紙する方向である。排紙方向は、排紙される用紙の画像を形成した面が上向きならばフェイスアップ、画像を形成した面が下向きならばフェイスダウンである。
【００４３】
配列方法は、通常配列（通常）、ツーインワン（２ｉｎ１）、ブックレットの３つの方法を含む。通常配列の配列方法は、表示する画像を、表示用データに含まれる複数のページそれぞれの画像とする配列である。従って、通常配列の場合、表示する画像の数と、表示用データに含まれるページの数とが同じである。通常配列は、表示する画像の順番と、表示用データに含まれる複数のページのページ番号が同じ場合（第１通常配列）と、逆の場合（第２通常配列）とがあり、電子ペーパ１が表示する画像の順番は、排紙方向によって定まる。
【００４４】
通常配列の配列方法で、排紙方向がフェイスダウンの場合、表示する画像の順番は、表示用データに含まれる複数のページのページ順と同じ第１通常配列である。具体的には、表示する画像の第１ページに表示用データの第１ページの画像が配置され、表示する画像の第２ページ以降のページには表示用データの次のページの画像が順に配置される。
【００４５】
通常配列の配列方法で、排紙方向がフェイスアップの場合、表示する画像の順番は、表示用データに含まれる複数のページのページ順と逆の第２通常配列である。具体的には、表示する画像の第１ページに表示用データの最後のページの画像が配置され、表示する画像の第２ページ以降のページには表示用データの前のページの画像が順に配置される。
【００４６】
ツーインワンの配列方法は、表示する画像を、表示用データを構成する複数ページのうち奇数ページの画像の右に次の偶数ページの画像を配置した画像とする配列である。従って、ツーインワンの配列方法の場合、表示する画像の数が、表示用データを構成するページの数の１／２またはそれに１を加算した値となる。ツーインワンの配列方法で、排紙方向がフェイスダウンの場合、表示する画像の第１ページに表示用データの最初の奇数ページ（第１ページ）の画像が左に配置され、表示する画像の第２ページ以降のページの左には表示用データの次の奇数ページの画像が順に配置され、第１ツーインワン配列という。ツーインワンの配列方法で、排紙方向がフェイスアップの場合、表示する画像の第１ページに表示用データの最後の奇数ページの画像が左に配置され、表示する画像の第２ページ以降のページの左には表示用データの前の奇数ページの画像が順に配置され、第２ツーインワン配列という。
【００４７】
ブックレットの配列方法は、表示する画像に表示用データを構成する複数ページのうちから選ばれた２つのページの画像を左右に配置した画像とする配列であり、画像形成後の複数の用紙を中心で折り返した場合に表示用データのページ順となる配列である。具体的には、ブックレットの配列方法で、排紙方向がフェイスダウンの場合、表示する画像は、表示用データの第ｎページ（ｎは正の整数）の画像の右に第（Ｎ−ｎ＋１）ページの画像を、第１ページから次のページの順に配置した画像となり、第１ブックレット配列という。ブックレットの配列方法で、排紙方向がフェイスアップの場合、表示する画像は、表示用データの第ｎページ（ｎは正の整数）の画像の右に第（Ｎ−ｎ＋１）ページの画像を、第Ｎページから前のページの順に配置した画像となり、第２ブックレット配列という。
【００４８】
図４は、設定画面の一例を示す図である。図４を参照して、設定画面３００は、表示用データを指定する領域と、配列規則を設定する領域と、を含む。表示用データを指定する領域は、フォルダを指定する領域３０１と、ファイル名を指定する領域３０３とを含む。領域３０１の右端の逆三角形の印部分をユーザが指示すれば、ＥＥＰＲＯＭ１７が有する記憶領域であるフォルダを識別するためのフォルダ名を選択可能に表示するプルダウン画面が表示され、ユーザがプルダウン画面に表示されたフォルダ名のいずれかを指示すれば、指示されたフォルダ名のフォルダが指定されるとともに、そのフォルダ名が領域３０１に表示される。領域３０３の右端の逆三角形の印部分をユーザが指示すれば、領域３０１において指定されたフォルダに記憶されているファイルを識別するためのファイル名を選択可能に表示するプルダウン画面が表示され、ユーザがプルダウン画面に表示されたファイル名のいずれかを指示すれば、指示されたファイル名のデータが表示用データとして指定されるとともに、そのファイル名が領域３０３に表示される。
【００４９】
配列規則を設定する領域は、排紙方向を設定する領域３０５と、配列方法を設定する領域３０７とを含む。排紙方向を設定する領域３０５は、「Ｕｐ」の文字が表されたボタンと、「Ｄｏｗｎ」の文字が表されたボタンとを含む。ユーザが「Ｕｐ」の文字が表されたボタンを指示すれば、排紙方向にフェイスアップが設定され、ユーザが「Ｄｏｗｎ」の文字が表されたボタンを指示すれば、排紙方向にフェイスダウンが設定される。配列方法を設定する領域３０７は、「通常」の文字が表されたボタンと、「２ｉｎ１」の文字が表されたボタンと、「ブックレット」の文字が表されたボタンとを含む。ユーザが「通常」の文字が表されたボタンを指示すれば、配列方法に通常配列が設定され、ユーザが「２ｉｎ１」の文字が表されたボタンを指示すれば、配列方法にツーインワンが設定され、ユーザが「ブックレット」の文字が表されたボタンを指示すれば、配列方法にブックレットが設定される。
【００５０】
設定画面３００は、「ＯＫ」の文字が表されたボタンと、「キャンセル」の文字が表されたボタンと、をさらに含む。「ＯＫ」の文字が表されたボタンをユーザが指示すれば、フォルダを指定する領域３０１と、ファイル名を指定する領域３０３とに設定されたフォルダ名およびファイル名で特定される表示用データが決定され、排紙方向を設定する領域３０５と、配列方法を設定する領域３０７とに設定された排紙方向および配列方法で定まる配列規則が選択される。
【００５１】
図３に戻って、表示設定部５９は、選択された配列規則である排紙方向および配列方法とからなる設定情報を表示制御部５５に出力する。
【００５２】
設定変更部６１は、読取領域検出部５１から読取領域の表示面における位置が入力される。設定変更部６１は、表示設定部５９において、配列方法が「ツーインワン」または「ブックレット」に設定される場合であって、読取領域のサイズが表示面のサイズよりも小さい場合、配列方法を「通常配列」に変更する。表示設定部５９は、設定変更部６１により配列方法の設定が変更される場合には、変更後の設定情報を表示制御部５５に出力する。
【００５３】
配列方法が「ツーインワン」または「ブックレット」等、複数ページの画像を並べて配置した合成画像を順に表示する設定がされている場合、読取領域のサイズが表示面のサイズよりも小さい場合は、ページ番号順に１ページの画像を順に表示する設定である配列方法「通常配列」に設定を変更する。このため、表示用データに含まれる全てのページの画像を複写機に読み取らせることができる。また、後述する表示制御部５５により生成され、表示部１９に表示される表示用画像のサイズが小さくなりすぎず、できるだけ大きなサイズで表示用画像を表示することができる。
【００５４】
表示制御部５５は、表示画像生成部６３と、縮小部６５と、第１表示方向決定部６７と、第２表示方向決定部６９と、を含む。表示画像生成部６３は、データ取得部５７より表示用データが入力され、表示設定部５９から設定情報が入力される。表示画像生成部６３は、表示用データに含まれるページデータに基づいて、設定情報に含まれる排紙方向および配列方法により定まる配列規則に従って表示用画像を生成する。表示用画像は、複数ページの画像を含む場合がある。
【００５５】
表示画像生成部６３は、表示用画像が電子ペーパ１９の表示面全体に表示されるように表示用画像のサイズと表示方向とを決定し、決定したサイズの表示用画像を生成する。表示方向は、画像の下側から上側に向かう画像方向が向く方向である。例えば、設定情報として配列方法に「通常配列」が設定されている場合、表示用画像のサイズをＡ３に設定し、表示方向を表示面の右方向に決定する。設定情報として配列方法に「ツーインワン」または「ブックレット」が設定されている場合、２ページ分の画像が左右に配置された１つの表示用画像のサイズをＡ３に設定し、表示方向を表示面の上方向に決定する。表示画像生成部６３は、生成された表示用画像を縮小部６５に出力する。ここでは、表示用画像がＭページで構成されるとする。ただし、Ｍは正の整数である。
【００５６】
第１方向決定部６７は、読取領域検出部５１から読取領域の表示面における位置が入力され、読取領域に画像を表示する第１の方向を決定する。第１の方向は、表示用画像を読取領域に表示する方向であり、表示面を基準に定まる相対的な方向である。第１表示方向決定部６７は、表示面のアスペクト比と、読取領域のアスペクト比とに基づいて、第１の方向を決定する。アスペクト比は、電子ペーパ１の方向を基準として、画像の縦方向（上下方向）の長さに対する横方向（左右方向）の長さの比としている。表示面のアスペクト比を読取領域のアスペクト比で除算した第１の値と、表示面のアスペクト比と読取領域のアスペクト比とを乗算した（表示面のアスペクト比を読取領域のアスペクト比の逆数で除算した）第２の値と、を算出し、第１の値と第２の値のいずれが「１」に近いかを判断する。第１の値が第２の値よりも「１」に近ければ、表示方向を第１の方向に決定し、第２の値が第１の値よりも「１」に近ければ、表示方向を時計の針が回転する方向とは反対方向に９０度回転させた方向を第１の方向に決定する。
【００５７】
読取領域のアスペクト比と、表示用画像のアスペクト比とに基づいて、表示用画像を表示面中の読取領域に表示するための第１の方向を決定するので、表示用画像を読取領域にできるだけ大きなサイズで納めて表示することができる。表示用画像が横長ならば、表示用画像の横方向を読取領域の長手方向に合わせることができ、表示用画像が縦長ならば、表示用画像の縦方向を読取領域の長手方向に合わせることができる。
【００５８】
なお、表示方向を時計の針が回転する方向と同じ方向に９０度回転させた方向を第１の方向に決定するようにしてもよい。表示方向をいずれの方向に回転させるかは、予め定めておけばよい。第１表示方向決定部６７は、決定した第１の方向を第２表示方向決定部６９に出力するとともに、第１の方向と読取領域の表示面における位置とを縮小部６５に出力する。
【００５９】
第２表示方向決定部６９は、走査方向検出部５３から走査方向が入力され、第１表示方向決定部６７から第１の方向が入力され、第２の方向を決定する。第２の方向は、表示用画像を読取領域に表示する方向であり、表示面を基準に定まる相対的な方向である。複写機によって、その走査方向に対する原稿の向きが定められている。第２表示方向決定部６９は、第１の方向が複写機により走査方向に対して定められた原稿の向きと同じならば、第２の方向を第１の方向に決定し、第１の方向が複写機により走査方向に対して定められた原稿の向きと異なるならば、第２の方向を第１の方向と反対の方向に決定する。
【００６０】
走査方向に対して複写機により予め定められた原稿の方向を特定し、表示画像の表示方向が原稿の方向と同じになるように第２の方向を決定するので、複写機が原稿を読み取る方向に合わせて表示画像を表示することができる。その結果、複写機が排紙する画像が形成された用紙の向きを適切な方向にすることができる。特に、複写機が用紙の両面に画像を形成する両面複写の場合に有効である。
【００６１】
縮小部６５は、表示画像生成部６３から表示用画像が入力され、第１表示方向決定部６７より第１の方向と読取領域の表示面における位置とが入力される。縮小部６５は、第１表示方向決定部６７より入力される第１の方向が表示面の左方向または表示面の右方向ならば、読取領域の左右方向の長さを表示面の左右方向の長さで除算した第１の候補縮小率と、読取領域の上下方向の長さを表示面の上下方向の長さで除算した第２の候補縮小率とを算出し、いずれか小さい値を縮小率に決定する。縮小部６５は、第１表示方向決定部６７より入力される第１の方向が表示面の上方向または表示面の下方向ならば、読取領域の上下方向の長さを表示面の左右方向の長さで除算した第３の候補縮小率と、読取領域の左右方向の長さを表示面の上下方向の長さで除算した第４の候補縮小率とを算出し、いずれか小さい値を縮小率に決定する。縮小部６５は、表示画像生成部６３から入力される表示用画像を、決定された縮小率で縮小した縮小画像を生成する。縮小画像の表示方向は、表示画像の表示方向と同じである。
【００６２】
表示面中の読取領域のサイズと表示用画像のサイズとから縮小率を決定するので、表示用画像をできるだけ大きなサイズで、読取領域に収まるように表示することができ、表示用画像が読取領域からはみ出さない大きさに縮小することができる。
【００６３】
表示制御部５５は、縮小部６５により生成された縮小画像を、電子ペーパ１９の読取領域に、縮小画像の画像方向を第２の方向に合わせて表示する。
【００６４】
図５は、第１の実施の形態における表示制御処理の流れの一例を示すフローチャートである。表示制御処理は、ＣＰＵ１１が、ＥＥＰＲＯＭ１７に記憶された表示制御プログラムを実行することにより、ＣＰＵ１１により実行される処理である。図５を参照して、ＣＰＵ１１は、設定を受け付けたか否かを判断する（ステップＳ０１）。電子ペーパ１９に図４に示した設定画面を表示し、表示用データを特定するための設定と、配列規則を特定するための設定とを受け付けたか否かを判断する。設定を受け付けるまで待機状態となり（ステップＳ０１でＮＯ）、設定を受け付けたならば、表示用データを読み出し、処理をステップＳ０２に進める。ステップＳ０２においては、ステップＳ０１において受け付けられた配列規則をＲＡＭ１５に一時的に記憶する。
【００６５】
ステップＳ０３においては、走査光を検出したか否かを判断する。面状光センサ２７が所定強度の光を検出すると走査光を検出する。走査光を検出するまで待機状態となり（ステップＳ０３でＮＯ）、面状光センサ２７が所定強度の光を検出すると（ステップＳ０３でＹＥＳ）、複写機によるプレスキャンの開始と判断し、処理をステップＳ０４に進める。ステップＳ０４においては、走査方向を検出する。面状光センサ２７で所定強度の光を検出する画素が時間とともに移動するので、所定強度の光を検出する画素が表示面において移動する方向を走査方向として検出する。次のステップＳ０５においては、操作が終了したか否かを判断する。面状光センサ２７が所定強度の光を検出しなくなると、プレスキャンによる走査が終了したと判断する。走査の終了を検出するまで待機状態となり（ステップＳ０５でＮＯ）、走査の終了を検出すると（ステップＳ０５でＹＥＳ）、処理をステップＳ０６に進める。
【００６６】
ステップＳ０６においては、読取領域を決定する。面状光センサ２７が所定強度の光を検出した領域を読取領域に決定する。そして、読取領域が電子ペーパ１９の表示面よりサイズが小さいか否かを判断する（ステップＳ０７）。読取領域のサイズが電子ペーパ１９の表示面のサイズより小さいならば処理をステップＳ０８に進め、そうでなければ処理をステップＳ１９に進める。
【００６７】
ステップＳ１９においては、ステップＳ０４において検出された走査方向から第２の方向を決定する。走査方向に対して原稿の向きが複写機により定められているので、複写機から得られる情報と走査方向とに基づいて、画像を電子ペーパ１９に表示する第２の方向を決定する。具体的には、表示用画像の表示方向を第１の方向に決定し、第１の方向が複写機により走査方向に対して定められた方向と同じならば、第２の方向を第１の方向に決定し、第１の方向が複写機により走査方向に対して定められた方向と異なるならば、第２の方向を第１の方向と反対の方向に決定する。これにより、複写機の走査方向に表示用画像の画像方向を合わせて表示用画像を表示することができる。
【００６８】
次のステップＳ２０においては、開始ページの表示用画像を生成する。この場合、ステップＳ０２において記憶された配列規則に従って、ステップＳ０１において読み出された表示用データに含まれる複数ページの画像を配列することによって、開始ページの表示用画像を生成する。また、表示用画像の生成は、表示用画像の画像方向が向く表示方向の決定を含む。表示方向は、画像の下側から上側に向かう画像方向が向く方向であり、ここでは、配列方法が「通常配列」が設定されている場合、表示方向は表示面の右方向であり、配列方法に「ツーインワン」または「ブックレット」が設定されている場合、表示方向は表示面の上方向である。
【００６９】
次に、表示用画像の画像方向をステップＳ２０において決定された第２の方向に合わせて表示用画像を電子ペーパ１９の表示面に表示する（ステップＳ２１）。次のステップＳ２２においては、走査が終了したか否かを判断する。走査の終了を検出するまで待機状態となり（ステップＳ２２でＮＯ）、走査の終了を検出すると（ステップＳ２２でＹＥＳ）、処理をステップＳ２３に進める。複写機が１回の走査を終了するまで電子ペーパ１９の表示面に表示された表示用画像が切り換えられないので、電子ペーパ１９に表示された表示用画像を複写機で読み取るための時間を確保することができる。
【００７０】
ステップＳ２３においては、表示用データに含まれるページのうち表示用画像として表示されていないページが存在するか否かを判断する。そのようなページが存在すれば処理をステップＳ２４に進めるが、そうでなければ処理を終了する。ステップＳ２４においては、ステップＳ０２において記憶された配列規則に従って、ステップＳ０１において読み出された表示用データに含まれる複数ページの画像のうち次のページの画像を配置することにより、次のページの表示用画像を生成し、処理をステップＳ２１に戻す。表示画像の生成とともに、ステップＳ２１で説明したのと同様に、表示用画像の表示方向を決定する。
【００７１】
一方、ステップＳ０８においては、ステップＳ０６において決定された読取領域および表示面それぞれのアスペクト比から第１の方向を決定する。第１の方向は、表示用画像を読取領域に表示する方向であり、表示面を基準に定まる相対的な方向である。具体的には、表示面のアスペクト比を読取領域のアスペクト比で除算した第１の値と、表示面のアスペクト比と読取領域のアスペクト比とを乗算した第２の値とを算出し、第１の値が第２の値よりも「１」に近ければ表示方向を第１の方向に決定し、第２の値が第１の値よりも「１」に近ければ表示方向を時計の針が回転する方向とは反対方向に９０度回転させた方向を第１の方向に決定する。
【００７２】
次のステップＳ０９においては、ステップＳ０４において検出された走査方向から第２の方向を決定する。第２の方向は、表示用画像を読取領域に表示する方向であり、表示面を基準に定まる相対的な方向である。複写機によって、その走査方向に対する原稿の向きが定められている。ステップＳ０９においては、ステップＳ０８において決定された第１の方向が複写機により走査方向に対して定められた方向と同じならば、第２の方向を第１の方向に決定し、第１の方向が複写機により走査方向に対して定められた方向と異なるならば、第２の方向を第１の方向と反対の方向に決定する。
【００７３】
ステップＳ１０においては、縮小率を決定する。ステップＳ０８において決定された第１の方向が表示面の左方向または右方向ならば、読取領域の左右方向の長さを表示面の左右方向の長さで除算した第１の候補縮小率と、読取領域の上下方向の長さを表示面の上下方向の長さで除算した第２の候補縮小率とを算出し、いずれか小さい値を縮小率に決定する。また、ステップＳ０８において決定された第１の方向が表示面の上方向または下方向ならば、読取領域の上下方向の長さを表示面の左右方向の長さで除算した第３の候補縮小率と、読取領域の左右方向の長さを表示面の上下方向の長さで除算した第４の候補縮小率とを算出し、いずれか小さい値を縮小率に決定する。
【００７４】
そして、配列方法が通常配列か否かを判断する（ステップＳ１１）。ステップＳ０２においてＲＡＭ１５に一時記憶された配列規則の配列方法が通常配列に設定されていなければ処理をステップＳ１２に進めるが、通常配列に設定されているならばステップＳ１２をスキップして処理をステップＳ１３に進める。ステップＳ１２においては、配列方法を通常配列に変更し、処理をステップＳ１３に進める。
【００７５】
ステップＳ１３においては、開始ページの画像を生成する。ステップＳ１２において配列方法が通常配列に変更された場合には、変更後の配列規則に従って、ステップＳ０１において読み出された表示用データに含まれる複数ページの画像を配列することによって、開始ページの画像を表示用画像として生成する。ステップＳ１２において配列方法が通常配列に変更されていない場合には、ステップＳ０２において記憶された配列規則に従って、ステップＳ０１において読み出された表示用データに含まれる複数ページの画像を配列することによって、開始ページの画像を表示用画像として生成する。また、ステップＳ２１で説明したのと同様に、表示用画像の表示方向を決定する。
【００７６】
次のステップＳ１４においては、ステップＳ１０において決定された縮小率で、表示用画像を縮小する。縮小画像の表示方向は表示画像の表示方向と同じである。そして、ステップＳ１４において縮小された縮小画像を、縮小画像の画像方向をステップＳ０９において決定された第２の方向に合わせて電子ペーパ１９の表示面に表示する（ステップＳ１５）。次のステップＳ１６においては、走査が終了したか否かを判断する。走査の終了を検出するまで待機状態となり（ステップＳ１６でＮＯ）、走査の終了を検出すると（ステップＳ１６でＹＥＳ）、処理をステップＳ１７に進める。複写機が１回の走査を終了するまで電子ペーパに表示された表示用画像が切り換えられないので、電子ペーパ１９に表示された表示用画像を複写機で読み取るための時間を確保することができる。
【００７７】
ステップＳ１７においては、表示用データに含まれるページのうち表示用画像として表示されていないページが存在するか否かを判断する。そのようなページが存在すれば処理をステップＳ１８に進めるが、そうでなければ処理を終了する。ステップＳ１８においては、ステップＳ１３において開始ページの表示用画像を生成したのと同様に、次ページの表示用画像を生成し、処理をステップＳ１４に戻す。また、表示用画像の生成とともに、表示用画像の表示方向を決定する。
【００７８】
以上説明したように、第１の実施の形態における電子ペーパ１は、複写機が発する走査光が検出される場合、検出された走査光に基づいて表示面中で読取領域を決定し、表示面中の読取領域に表示用画像を表示する。このため、複写機が読取可能な領域に画像を表示することができる。例えば、複写機の読取可能な領域のサイズが、表示面より小さい場合であっても、複写機に画像の全体を読み取らせることができる。
【００７９】
また、決定された読取領域のアスペクト比と、表示用画像のアスペクト比とに基づいて、表示用画像を表示面中の読取領域に表示する第１の方向を決定する。このため、画像を読取領域にできるだけ大きなサイズで納めて表示することができる。
【００８０】
さらに、検出された走査光に基づいて表示面に対する走査方向を検出し、走査方向から複写機において予め定められた原稿の方向を特定し、表示方向が原稿の方向と同じになるように第２の方向を決定し、縮小画像の画像方向を第２の方向にして読取領域に縮小画像を表示する。このため、複写機が画像を読み取る方向に合わせて縮小画像を表示することができる。さらに、複写機が排紙する画像が形成された用紙の向きが適切な方向にすることができる。特に、両面複写の場合に有効である。
【００８１】
さらに、表示面中の読取領域のサイズと表示用画像のサイズとから縮小率を決定し、表示用画像を縮小し、縮小画像を読取領域に表示するので、表示用画像をできるだけ大きなサイズで、読取領域に収まるように表示することができる。
【００８２】
さらに、複数ページの画像を並べて配置した合成画像を順に表示する設定がされている場合、読取領域のサイズが表示面のサイズよりも小さい場合は、ページ番号順に１ページの画像を順に表示する設定に変更する。このため、表示用データに含まれる全てのページの画像を複写機に読み取らせることができる。また、表示用画像のサイズをできるだけ大きくして表示することができる。
【００８３】
＜第２の実施の形態＞
以下、第２の実施の形態における電子ペーパ１Ａについて図面を参照して説明する。なお、図中において、第１の実施の形態において説明した部材および機能と同一の部材および機能には同一の符号を付し、重複した説明は繰り返さない。
【００８４】
図６は、本発明の第２の実施の形態における電子ペーパの平面図である。図６を参照して、第２の実施の形態における電子ペーパ１Ａは、その上面に表示部１９と、表示部１９と同じ領域に重畳して配置されたタッチパネル２１Ｂおよび電源キー２１Ａを含む操作部２１と、第１光センサ３３と、第２光センサ３５と、を含む。電子ペーパ１Ａは、図６に示す同一方向形状と、図６中の点線で示される電子ペーパ１９の中心線で表示面が折れ曲がり、中心線で分割される２つの面が互いに反対方向となる反対方向形状と、に形状を変化可能である。なお、図中の点線は説明のために付したもので実際には存在しない。以下、電子ペーパ１９の表示面のうち図６における点線の左側の領域を第１表示面といい、右側の領域を第２表示面という。電子ペーパ１は、表示部１９が有する第１表示面および第２表示面それぞれの方向が同じ同一方向形状と第１表示面および第２表示面それぞれの方向が反対となる反対方向形状とに形状を変化可能である。
【００８５】
第１光センサ３３と第２光センサ３５とは、電子ペーパ１Ａの縦方向および横方向それぞれに所定の距離を隔てて配置される。より具体的には、１光センサ３３と第２光センサ３５とは、電子ペーパ１Ａの電子ペーパ１９が配置されるのと同じ上面に配置され、電子ペーパ１９の外側に電子ペーパ１９の対角線の延長線上に配置される。このため、電子ペーパ１Ａが同一方向形状で複写機に裏向きに載置され、複写機が走査すると、第１光センサ３３と第２光センサ３５が同時に走査されることとはなく、時間を異ならせて走査される。
【００８６】
また、電子ペーパ１Ａが反対方向形状の場合、第１光センサ３３は、電子ペーパ１９の第１表示面と同じ方向に配置され、第１光センサ３５は電子ペーパ１９の第２表示面と同じ方向に配置される。
【００８７】
図７は、第２の実施の形態における電子ペーパのハードウエア構成の一例を示すブロック図である。図７を参照して、図２に示したブロック図と異なる点は、面状光センサ２７に代えて、第１光センサ３３および第２光センサ３５を備える点、および圧力センサ３７を備える点である。
【００８８】
第１光センサ３３および第２光センサ３５それぞれは、所定強度以上の光を検出している間、検出信号をＣＰＵ１１に出力し、所定強度以上の光を検出していない間は何も出力しない。上述したように、第１光センサ３３および第２光センサ３５は、電子ペーパ１Ａの縦方向および横方向それぞれに所定の距離を隔てて配置されるため、電子ペーパ１Ａが同一方向形状で複写機に載置されて走査されると、第１光センサ３３と第２光センサ３５とが時間を異ならせて検出信号をＣＰＵ１１に出力する。
【００８９】
圧力センサ３７は、電子ペーパ１Ａの裏面、例えば、第１光センサ３３の裏面に配置され、電子ペーパ１Ａが反対方向形状になると対向する面に設けられた凸部により押下されてＯＮとなり、反対方向形状でなければ対向する面からの押下から開放されてＯＦＦとなる。圧力センサ３７は、ＯＮまたはＯＦＦの信号をＣＰＵ１１に出力する。
【００９０】
図８は、第２の実施の形態における電子ペーパが備えるＣＰＵが有する機能の一例を示す機能ブロック図である。図８に示すＣＰＵ１１が有する機能は、ＣＰＵ１１がＲＯＭ１３、ＥＥＰＲＯＭ１７またはＣＤ−ＲＯＭ２５Ａに記憶された表示制御プログラムを実行することにより、ＣＰＵ１１に形成される。
【００９１】
図８を参照して、ＣＰＵ１１は、電子ペーパ１Ａの形状を検出する形状検出部７１と、走査光を検出する走査光検出部７３と、電子ペーパ１９の表示を制御する表示制御部５５Ａと、データ取得部５７と、表示設定部５９と、設定変更部６１Ａと、を含む。データ取得部５７および表示設定部５９は、図３に示した機能と同じなのでここでは説明を繰り返さない。
【００９２】
形状検出部７１は、圧力センサ３７の出力を監視し、圧力センサ３７がＯＮを出力する場合に反対方向形状を検出し、ＯＦＦを出力する場合に同一方向形状を検出する。形状検出部７１は、検出した電子ペーパ１Ａの形状を表示制御部５５Ａに出力する。
【００９３】
走査光検出部７３は、第１光センサ３３および第２光センサ３５の出力を監視しており、第１光センサ３３が検出信号を出力することを検出すると、第１状態信号を表示制御部５５Ａに出力し、第２光センサ３５が検出信号を出力することを検出すると、第２状態信号を表示制御部５５Ａに出力する。
【００９４】
設定変更部６１Ａは、形状検出部７１から電子ペーパ１Ａの形状が入力される。設定変更部６１Ａは、表示設定部５９において、配列方法が「ツーインワン」または「ブックレット」に設定される場合であって、電子ペーパ１Ａの形状が反対方向形状の場合、配列方法を「通常配列」に変更する。表示設定部５９は、設定変更部６１により配列方法の設定が変更される場合には、変更後の設定情報を表示制御部５５に出力する。
【００９５】
表示制御部５５は、表示画像生成部６３と、縮小部６５Ａと、表示領域決定部７５と、を含む。表示画像生成部６３は、図３に示した機能と同じである。
【００９６】
表示領域決定部７５は、形状検出部７１から電子ペーパ１Ａの形状が入力され、走査光検出部７３から第１状態信号と第２状態信号とのいずれかが入力される。表示領域決定部７５は、形状検出部７１から反対方向形状が入力され、かつ、走査光検出部７３から第１状態信号が入力される場合は、第１表示面を画像を表示する表示領域に決定し、形状検出部７１から反対方向形状が入力され、かつ、走査光検出部７３から第２状態信号が入力される場合は、第２表示面を画像を表示する表示領域に決定する。表示領域決定部７５は、形状検出部７１から同一方向形状が入力される場合は、第１表示面および第２表示面を画像を表示する表示領域に決定する。表示領域決定部７５は、決定された表示領域を縮小部６５Ａに出力する。
【００９７】
縮小部６５Ａは、表示画像生成部６３から表示用画像が入力され、表示領域決定部７５から表示領域が入力される。縮小部６５Ａは、表示領域決定部７５から表示領域として第１表示面または第２表示面のいずれかが入力される場合、縮小率を５０％に決定する。縮小部６５Ａは、表示領域決定部７５から表示領域として第１表示面および第２表示面が入力される場合、縮小率を１００％に決定する。縮小部６５Ａは、表示画像生成部６３から入力される表示用画像を、決定された縮小率で縮小した縮小画像を生成する。決定された縮小率が１００％の場合は表示用画像を縮小しない。
【００９８】
表示制御部５５は、形状検出部７１から反対方向形状が入力され、かつ、走査光検出部７３から第１状態信号が入力される場合、縮小部６５により生成された縮小画像を、電子ペーパ１９の第１表示面に表示する。表示制御部５５は、形状検出部７１から反対方向形状が入力され、かつ、走査光検出部７３から第２状態信号が入力される場合、縮小部６５により生成された縮小画像を、電子ペーパ１９の第２表示面に表示する。表示制御部５５は、形状検出部７１から同一方向形状が入力される場合、表示画像生成部６３により生成された表示用画像を、電子ペーパ１９の表示面に表示する。第１表示面または第２表示面に縮小画像を表示する場合、第１表示面および第２表示面それぞれに予め定められた方向に縮小画像を表示する。
【００９９】
表示制御部５５は、形状検出部７１から同一方向形状が入力される場合、表示画像生成部６３により生成された表示用画像を電子ペーパ１９の表示面に表示する。
【０１００】
図９は、第２の実施の形態における表示制御処理の流れの一例を示すフローチャートである。表示制御処理は、ＣＰＵ１１が、ＥＥＰＲＯＭ１７に記憶された表示制御プログラムを実行することにより、ＣＰＵ１１により実行される処理である。図９を参照して、ステップＳ３１およびステップＳ３２は、図５のステップＳ０１およびステップＳ０２とそれぞれ同じである。従ってここでは説明を繰り返さない。ステップＳ３３においては、走査光を検出したか否かを判断する。第１光センサ３３および第２光センサ３５のいずれかが所定強度の光を検出すると走査光を検出する。走査光を検出するまで待機状態となり（ステップＳ３３でＮＯ）、第１光センサ３３および第２光センサ３５のいずれかが所定強度の光を検出すると（ステップＳ３３でＹＥＳ）、複写機によるプレスキャンの開始と判断し、処理をステップＳ３４に進める。次のステップＳ３４においては、走査が終了したか否かを判断する。第１光センサ３３および第２光センサ３５のいずれかが所定強度の光を検出してから所定時間が経過すると、プレスキャンによる走査が終了したと判断する。所定時間は、予め定められた値である。走査の終了を検出するまで待機状態となり（ステップＳ３４でＮＯ）、プレスキャンの終了を検出すると（ステップＳ３４でＹＥＳ）、処理をステップＳ３５に進める。
【０１０１】
ステップＳ３５においては、圧力センサ３７の出力に基づいて電子ペーパ１Ａの形状を検出する。圧力センサ３７の出力がＯＮならば反対方向形状を検出し、ＯＦＦならば同一方向形状を検出する。そして、検出された形状が反対方向形状か否かを判断する（ステップＳ３６）。電子ペーパ１Ａが反対方向形状ならば処理をステップＳ３７に進めるが、同一方向形状ならば処理をステップＳ４８に進める。ステップＳ４８〜ステップＳ５２の処理は、図５のステップＳ２０〜ステップＳ２４の処理とそれぞれ同じである。したがって、ここでは説明を繰り返さない。
【０１０２】
ステップＳ３７においては、ステップＳ３３において、第１光センサ３３および第２光センサ３５のいずれで走査光を検出したかによって処理を分岐させる。第１光センサ３３で所定強度の光が検出された場合は、処理をステップＳ３８に進め、第２光センサ３５で所定強度の光が検出された場合は、処理をステップＳ３９に進める。ステップＳ３８においては、表示領域を第１表示面に設定し、処理をステップＳ４０に進める。一方ステップＳ３９においては、表示領域を第２表示面に設定し、処理をステップＳ４０に進める。
【０１０３】
ステップＳ４０においては、配列方法が通常配列か否かを判断する。ステップＳ３２においてＲＡＭ１５に一時記憶された配列規則の配列方法が通常配列に設定されていなければ処理をステップＳ４１に進めるが、通常配列に設定されているならばステップＳ４１をスキップして処理をステップＳ４２に進める。ステップＳ４１においては、配列方法を通常配列に変更し、処理をステップＳ４２に進める。
【０１０４】
ステップＳ４２においては、開始ページの画像を生成する。ステップＳ４１において配列方法が通常配列に変更された場合には、変更後の配列規則に従って、ステップＳ３１において読み出された表示用データに含まれる複数ページの画像を配列することによって、開始ページの画像を表示用画像として生成する。ステップＳ４１において配列方法が通常配列に変更されていない場合には、ステップＳ３２において記憶された配列規則に従って、ステップＳ３１において読み出された表示用データに含まれる複数ページの画像を配列することによって、開始ページの画像を表示用画像として生成する。
【０１０５】
次のステップＳ４３においては、５０％の縮小率で、表示用画像を縮小する。そして、ステップＳ４３において表示用画像を縮小した縮小画像を電子ペーパ１９の表示領域に表示する(ステップＳ４４)。ステップＳ３８において、第１表示面が表示領域に設定されている場合、縮小画像を第１表示面に表示し、ステップＳ３９において、第２表示面が表示領域に設定されている場合、縮小画像を第２表示面に表示する。
【０１０６】
次のステップＳ４５においては、走査が終了したか否かを判断する。第１光センサ３３および第２光センサ３５のいずれかが所定強度の光を検出してから所定時間が経過すると、プレスキャンによる走査が終了したと判断する。所定時間は、予め定められた値である。走査の終了を検出するまで待機状態となり（ステップＳ４５でＮＯ）、プレスキャンの終了を検出すると（ステップＳ４５でＹＥＳ）、処理をステップＳ４６に進める。複写機が１回の走査を終了するまで電子ペーパ１９に表示された縮小画像が切り換えられないので、電子ペーパ１９に表示された縮小画像を複写機で読み取るための時間を確保することができる。
【０１０７】
ステップＳ４６においては、表示用データに含まれるページのうち表示用画像として表示されていないページが存在するか否かを判断する。そのようなページが存在すれば処理をステップＳ４７に進めるが、そうでなければ処理を終了する。ステップＳ４７においては、ステップＳ４２において開始ページの表示用画像を生成したのと同様に、次ページの表示用画像を生成し、処理をステップＳ４３に戻す。
【０１０８】
第２の実施の形態における電子ペーパ１Ａは、電子ペーパ１９が、第１表示面および第２表示面それぞれの方向が同じ同一方向形状と第１表示面および第２表示面それぞれの方向が反対の反対方向形状とに形状を変化可能であり、電子ペーパ１Ａの形状を検出し、反対方向形状の場合に、第１表示面と第２表示面のうち複写機の走査光が検出された側に表示用画像を縮小した縮小画像を表示する。このため、表示面が折り畳まれた状態であっても複写機が読み取る側に表示用画像を縮小した縮小画像を表示する。その結果、複写機に表示用データに含まれる全てのページの画像を読み取らせることができる。
【０１０９】
なお、本実施の形態においては、平面状表示装置の一例として電子ペーパ１，１００Ａについて説明したが、図５または図９に示した表示制御処理を電子ペーパ１，１００Ａで実行するための表示制御方法、または、それらの表示制御方法を、電子ペーパ１，１００Ａが備えるＣＰＵ１１に実行させるための表示制御プログラムとして、発明を捉えることができるのは言うまでもない。
【０１１０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１１１】
＜付記＞
（１）  前記画像を表示するステップは、前記決定された読取領域のアスペクト比と、前記画像のアスペクト比とに基づいて、前記画像を前記表示面中の前記決定された読取領域に表示する方向を決定するステップを、含む請求項８に記載の表示制御方法。
（２）  前記検出された走査光に基づいて前記表示面に対する走査方向を検出するステップを、さらに含み、
前記画像を表示するステップは、前記検出された走査方向に基づいて、前記画像を前記読取領域に表示する方向を決定するステップを含む、請求項８または（１）に記載の表示制御方法。
（３）  前記画像を表示するステップは、画像を前記表示面の全体に表示する設定がされている場合、前記表示面中の前記読取領域のサイズに基づいて画像を縮小するステップを、さらに含む請求項８、（１）〜（２）のいずれかに記載の表示制御方法。
（４）  複数ページの画像を、ページ番号が奇数の画像とページ番号が偶数の画像とを並べて配置した合成画像を順に表示する設定がされている場合、前記決定された読取領域が前記表示面よりも小さい場合は、ページ番号順に１ページの画像を順に表示する設定に変更するステップを、さらに含む請求項８、（１）〜（３）のいずれかに記載の表示制御方法。
（５）  前記表示面は、第１表示面と第２表示面とを含み、前記第１表示面および前記第２表示面それぞれの方向が同じ同一方向形状と反対方向形状とに形状を変化可能である、請求項１〜５のいずれかに記載の平面状表示装置。
【符号の説明】
【０１１２】
１１  ＣＰＵ、１３  ＲＯＭ、１５  ＲＡＭ、１７  ＥＥＰＲＯＭ、１９  電子ペーパ、２１  操作部、２１Ａ  電源キー、２１Ｂ  タッチパネル、２３  通信Ｉ／Ｆ、２５  外部Ｉ／Ｆ、２５Ａ  ＣＤ−ＲＯＭ、２７  面状光センサ、３１  バス、３３  第１光センサ、３５  第２光センサ、３７  圧力センサ、５１  読取領域検出部、５３  走査方向検出部、５３  走査方向検出部、５５，５５Ａ  表示制御部、５７  データ取得部、５９  表示設定部、６１，６１Ａ  設定変更部、６３  表示画像生成部、６５，６５Ａ  縮小部、６７  第１表示方向決定部、６９  第２表示方向決定部、７１  形状検出部、７３  走査光検出部、７５  表示領域決定部、１００，１００Ａ  電子ペーパ。
【図１】
0005299406.tif 000002
【図２】
0005299406.tif 000003
【図３】
0005299406.tif 000004
【図４】
0005299406.tif 000005
【図５】
0005299406.tif 000006
【図６】
0005299406.tif 000007
【図７】
0005299406.tif 000008
【図８】
0005299406.tif 000009
【図９】
0005299406.tif 000010